(57)【要約】【課題】蓋体を開ける動作を片手で簡単に行うことができ、操作性が向上した振り出し容器用キャップを提供することを目的とする。【解決手段】キャップ本体４と蓋体５とを備える振り出し容器用キャップ１であって、閉位置の蓋体５を開位置の方向へ付勢する付勢部材６と、蓋体５を閉位置に保持する係止手段７と、が備えられ、キャップ本体４には、蓋体５の回転軸方向に沿ってそれぞれ揺動可能であり、且つ、閉位置の蓋体５を回転軸方向に挟んで対称に配置された一対の押圧部３２，３２が設けられ、一対の押圧部３２，３２には、閉位置の蓋体５に当接する当接部３２ｂ，３２ｂがそれぞれ形成され、当接部３２ｂ，３２ｂ、および当接部３２ｂ，３２ｂが当接する蓋体５の被当接部５ａ，５ａのうち少なくとも一方は、キャップ軸方向の容器本体側へ向うに従いキャップ径方向内側へ向けて傾斜した傾斜面になっている。【選択図】図２
2008265789.tif 000002
【特許請求の範囲】
【請求項１】
容器本体の口部に取り付けられ、前記容器本体内の内容物を振り出すための振り出し口が設けられた筒形状のキャップ本体と、
該キャップ本体の天板部に、キャップ軸の垂直面に沿って延在する回転軸周りに回転可能に取り付けられ、前記振り出し口を開閉する蓋体と、
を備える振り出し容器用キャップであって、
閉位置の前記蓋体を開位置の方向へ付勢する付勢部材と、
前記蓋体に設けられた係止部を前記キャップ本体に設けられた被係止部に係止させることで、前記蓋体を閉位置に保持する係止手段と、
が備えられ、
前記キャップ本体には、前記蓋体の回転軸方向に沿ってそれぞれ揺動可能であり、且つ、閉位置の前記蓋体を前記回転軸方向に挟んで対称に配置された一対の押圧部が設けられ、
該一対の押圧部には、閉位置の前記蓋体に当接する当接部がそれぞれ形成され、
該当接部、および該当接部が当接する前記蓋体の被当接部のうちの少なくとも一方は、キャップ軸方向の容器本体側へ向うに従いキャップ径方向内側へ向けて傾斜した傾斜面になっていることを特徴とする振り出し容器用キャップ。
【請求項２】
請求項１記載の振り出し容器用キャップにおいて、
前記被係合部は、前記一対の押圧部の各当接部同士の間に配設されていることを特徴とする振り出し容器用キャップ。
【発明の詳細な説明】
【技術分野】
【０００１】
本発明は、容器本体の口部に取り付けられるキャップであって、振る動作によって容器本体内の内容物を外に出す振り出し容器に用いられる振り出し容器用キャップに関する。
【背景技術】
【０００２】
従来より、粉状或いは顆粒状の内容物を収容する容器として振り出し容器がある。振り出し容器は、容器本体の口部に取り付けられたキャップに、複数の貫通穴からなる振り出し口が設けられた構成となっている。このような振り出し容器では、容器を下向き或いは横向きにした状態で容器を繰り返し振ることで、振り出し口から容器内の内容物が振り出される。
【０００３】
また、振り出し容器用のキャップには、振り出し口を塞ぐための蓋体が取り付けられているものが多い。蓋体としては、キャップ本体に回転可能に取り付けられて上向きに開くものがある。この蓋体が閉められると、蓋体が振り出し口を覆って塞ぐ（例えば、特許文献１参照。）。
【特許文献１】特開平１０−１６７３０２号公報
【発明の開示】
【発明が解決しようとする課題】
【０００４】
しかしながら、上記した従来の振り出し容器用キャップでは、蓋体を開ける動作を片手で行うのが困難であるという問題が存在する。すなわち、容器本体を握った手の指で蓋体を押し上げようとしても、蓋体を開けきるところまで指先が届かず、蓋体を開けることができない。
【０００５】
本発明は、上記した従来の問題が考慮されたものであり、蓋体を開ける動作を片手で簡単に行うことができ、操作性が向上した振り出し容器用キャップを提供することを目的としている。
【課題を解決するための手段】
【０００６】
本発明に係る振り出し容器用キャップは、容器本体の口部に取り付けられ、前記容器本体内の内容物を振り出すための振り出し口が設けられた筒形状のキャップ本体と、該キャップ本体の天板部に、キャップ軸の垂直面に沿って延在する回転軸周りに回転可能に取り付けられ、前記振り出し口を開閉する蓋体と、を備える振り出し容器用キャップであって、閉位置の前記蓋体を開位置の方向へ付勢する付勢部材と、前記蓋体に設けられた係止部を前記キャップ本体に設けられた被係止部に係止させることで、前記蓋体を閉位置に保持する係止手段と、が備えられ、前記キャップ本体には、前記蓋体の回転軸方向に沿ってそれぞれ揺動可能であり、且つ、閉位置の前記蓋体を前記回転軸方向に挟んで対称に配置された一対の押圧部が設けられ、該一対の押圧部には、閉位置の前記蓋体に当接する当接部がそれぞれ形成され、該当接部、および該当接部が当接する前記蓋体の被当接部のうちの少なくとも一方は、キャップ軸方向の容器本体側へ向うに従いキャップ径方向内側へ向けて傾斜した傾斜面になっていることを特徴としている。
【０００７】
このような特徴により、蓋体が閉じられ、その蓋体に設けられた係止部がキャップ本体に設けられた被係止部に係止されると、蓋体は、付勢部材による付勢力に抵抗して、閉位置で保持される。
一方、一対の押圧部をキャップ径方向内側へそれぞれ押圧すると、一対の押圧部の当接部が、蓋体の被当接部を押圧する。このとき、当接部及び被当接部のうちの少なくとも一方が傾斜面であるため、その傾斜面上を当接部又は被当接部が摺動し、閉じられた状態の蓋体が摺り上げられる。その結果、係止部が被係止部から外され、係止が解除される。そして、係止が解除されると、付勢部材により蓋体が開位置の方向へ回転して開けられる。
【０００８】
また、本発明に係る振り出し容器用キャップは、前記被係合部が、前記一対の押圧部の各当接部同士の間に配設されていることが好ましい。
【０００９】
これにより、一対の押圧部がキャップ径方向内側へそれぞれ押圧されたとき、係止部が被係止部から簡単且つ確実に外される。
【発明の効果】
【００１０】
本発明に係る振り出し容器用キャップによれば、一対の押圧部をキャップ径方向内側へそれぞれ押圧するだけで蓋体が開けられるため、蓋体を開ける動作を片手で簡単に行うことができ、操作性を向上させることができる。
【発明を実施するための最良の形態】
【００１１】
以下、本発明に係る振り出し容器用キャップの実施の形態について、図面に基いて説明する。
【００１２】
以下、本発明に係る振り出し容器用キャップの実施の形態について、図面に基いて説明する。
図１〜図３は振り出し容器用キャップ１の斜視図であり、図４は図１に示すＡ−Ａ間の半断面図であり、図５は図１に示すＢ−Ｂ間の断面図である。
なお、以下に説明する実施の形態では、振り出し容器用キャップ１からみてキャップ軸の容器本体２側（図４における下側）を「下方」とし、その反対側（図４における上側）を「上方」とする。また、後述するヒンジ部５０の延在方向（図４における横方向）を「左右方向」とする。さらに、キャップ軸Ｏの垂直面においてヒンジ部５０の延在方向に直交する方向（図５における横方向）を「前後方向」とし、ヒンジ部５０側（図５における右側）を後面側とし、その反対側（図５における左側）を前面側とする。
【００１３】
図１〜図５に示すように、振り出し容器用キャップ１は、粉状或いは顆粒状の内容物を収容する容器本体２に装着されるキャップであり、容器本体２の円筒形状の口部２０に被せるように取り付けられる略円筒形状のキャップ本体４と、キャップ本体４の天板部４１に、キャップ軸Ｏの仮想垂直面に沿って延在するヒンジ部５０（回転軸）周りに回転可能に取り付けられた蓋体５と、閉位置（図１に示す位置）の蓋体５を開位置（図２、図３に示す位置）の方向へ付勢するシリコンバネ６（付勢部材）と、蓋体５を上記閉位置に保持する係止手段７と、から構成されている。
上記した容器本体２の口部２０は、その下の胴部２１よりも小径になっており、キャップ本体４の外周面と容器本体２の胴部２１外周面とは略面一になっている。
【００１４】
［キャップ本体］
キャップ本体４は、例えば合成樹脂などからなる部材であって、天板部４１と、天板部４１の外周縁から下側に延設された筒部４０と、筒部４０の上方に設けられ天板部４１を覆う外装部４２と、備えた構成からなる。
【００１５】
筒部４０は、円筒形状のものであり、筒部４０の内周面には、雌ネジ部４０ａが形成されている。この雌ネジ部４０ａが容器本体２の口部２０に形成された雄ネジ部２０ａに螺着することによって、振り出し容器用キャップ１が容器本体２に取り付けられている。また、筒部４０の後面側の上端には、上方に突出した壁部４０ｂが形成されている。この壁部４０ｂの上端にヒンジ部５０が形成されている。
【００１６】
天板部４１には、上方に突出した突出部４３が形成されている。この突出部４３は、天板部４１の中央を横断するように、前後方向に延在されている。突出部４３は、階段状に形成された段差部４４、キャップ軸Ｏの仮想垂直面に沿って形成された頂壁部４５、及び、湾曲に形成された湾曲壁部４６ａを有する湾曲部４６が、後面側からこの順で連設され、さらに、これら４４〜４６の左右両側に側壁部４７，４７がそれぞれ形成された構成からなる。この突出部４３は、中空に形成されているとともに下端が開放されており、突出部４３の内部空間は、容器本体２の内部空間に連通されている。
【００１７】
段差部４４は、頂壁部４５の後面側の端部から垂設された上壁部４４ａと、上壁部４４ａの下端からキャップ径方向外側（後面側）へ突出された中壁部４４ｂと、中壁部４４ｂの後面側の端部から垂設された下壁部４４ｃと、から構成されている。下壁部４４ｃは、上記した壁部４０ｂとの間に間隔をあけて形成されている。また、下壁部４４ｃの内面は、容器本体２の口部２０の内周面と略面一になっている。
【００１８】
頂壁部４５の上面には、略円筒形状の被係止部４８が突設されている。この被係止部４８は、キャップ軸Ｏ上に延設されており、その上端には、被係止部４８の径方向の外側に突出したフランジ４８ａが被係止部４８全周に亘って形成されている。また、この被係止部４８は、後述する一対の押圧部３２，３２の各当接面３２ｂ，３２ｂ同士の間に配設されている。
【００１９】
また、湾曲部４６は、頂壁部４５の前面側の端部から斜め下方に延在された湾曲壁部４６ａと、湾曲壁部４６ａの下端から垂設された立壁部４６ｂと、から構成されている。湾曲壁部４６ａには、複数の貫通穴４９ａ…からなる振り出し口４９が形成されている。この振り出し口４９（貫通穴４９ａ…）は、突出部４３の内部空間に連通されている。立壁部４６ｂの内面は、容器本体２の口部２０の内周面と略面一になっている。
【００２０】
外装部４２は、円形ドームを凹状に切り欠いた形状のものであり、突出部４３の前面側に配設された中央壁部３０と、突出部４３の左右両側にそれぞれ配設された一対の側壁部３１，３１と、から構成されている。
【００２１】
中央壁部３０は、図５に示すように、湾曲部４６の立壁部４６ｂに対向配置されており、中央壁部３０の内面は立壁部４６ｂの外面に当接されている。また、中央壁部３０は、屈曲自在に形成された屈曲部３０ａを介して筒部４０の前面側の上端に一体的に連結されている。上記屈曲部３０ａを軸に、筒部４０と一体成形された外装部４２を回動させることで、筒部４０の上端に外装部４２が取り付けられる。また、中央壁部３０は、平面視円弧形状に形成されており、中央壁部３０の外面は筒部４０の外周面と略面一になっている。
【００２２】
側壁部３１は、平面視円弧形状の周壁部３１ａの上端に半ドーム状の半ドーム部３１ｂが形成された構成となっている。周壁部３１ａは筒部４０の上端に嵌合されており、周壁部３１ａの外面は筒部４０の外周面と略面一になっている。
【００２３】
また、外装部４２には、閉位置の蓋体を挟んで対称に配置された一対の押圧部３２，３２が形成されている。この押圧部３２は、ヒンジ部５０の延在方向に沿って揺動可能となっている。具体的に説明すると、押圧部３２は、上記した側壁部３１の前後方向の中央位置に配設されており、キャップ軸Ｏ方向に延在する２本のスリット３３，３３間に形成されるものである。押圧部３２は、その下端が側壁部３１に固定された固定端で、その上端が側壁部３１から切り離された自由端となっており、キャップ径方向内側へ押圧されることで弾性変形して撓む構成となっている。
【００２４】
また、押圧部３２の外面には、キャップ軸Ｏに沿って延在し筒部４０の外周面と略面一に形成された押圧面３２ａが形成されている。
また、押圧部３２の先端面には、閉位置の蓋体５に当接される当接面３２ｂ（当接部）が形成されている。この当接面３２ｂは、上方から下方へ向うに従いキャップ径方向内側へ向けて傾斜する平滑な傾斜面であり、押圧部３２の幅方向（前後方向）全体に亘って形成されている。
【００２５】
［蓋体］
蓋体５は、上記した振り出し口４９を開閉するためのものであり、湾曲した板状の部材からなる。蓋体５は、例えば合成樹脂などからなる部材であって、後面側の基端部がヒンジ部５０を介してキャップ本体４の筒部４０に一体的に連結されている。また、蓋体５は、図１に示すように閉位置にある状態において、前後方向に延在されるとともに上記した一対の側壁部３１，３１間に嵌合される。閉位置の蓋体５は、その表面が外装部４２（半ドーム部３１ｂ）の表面に対してほぼ段差無く配置されている。そして、閉位置の蓋体５は、後面側の端部に設けられたヒンジ部５０を軸にして回転することで上方側に開けられ、図２，図３に示すように、開位置に配置される。
【００２６】
蓋体５の中央部の左右両側の側面には、蓋体５が閉位置にある状態において上記した一対の押圧部３２，３２がキャップ径方向内側にそれぞれ揺動することで、その当接面３２ｂ，３２ｂが当接する被当接面５ａ，５ａ（被当接部）がそれぞれ形成されている。この被当接面５ａは、蓋体５が閉位置にある状態において、上方から下方へ向うに従いキャップ径方向内側へ向けて傾斜する平滑な傾斜面である。
【００２７】
また、蓋体５の中央部の裏面には、蓋体５が閉位置にある状態において被係止部４８に係止される係止部５１が設けられている。係止部５１は、蓋体５の裏面に突設された複数の爪部５１ａ…を円環状に配設した構成、つまり、円筒体を複数に分割した構成からなり、蓋体５が閉じられると、係止部５１の内側に被係止部４８が挿入される。係止部５１の先端には、係止部５１の径方向内側に突出した鉤部５１ｂが形成されており、係止部５１の内側に被係止部４８が挿入されると、鉤部５１ｂが被係止部４８のフランジ４８ａに掛止され、被係止部４８と係止部５１とが係合される。また、係止部５１は、上記した両側の被当接面５ａ，５ａの間の位置に配設されている。
【００２８】
また、蓋体５の先端部の裏面には、複数の突起５２…が配設されている。これらの突起５２…は、蓋体５が閉じられたとき、振り出し口４９の貫通穴４９ａ…にそれぞれ挿入される。これらの突起５２…は、蓋体５が開けられると、上方に向けて立ち上がる蓋体５の先端部とともに移動し、貫通穴４９ａ…内から引き抜かれる。なお、上記した突起５２…に代えて、貫通穴４９ａ…に嵌合される栓を用いてもよい。
【００２９】
［付勢部材］
シリコンバネ６は、キャップ本体４に装着されるシリコン製の弾性部材であり、蓋体５が閉位置にある状態で弾性変形する部材である。シリコンバネ６は、キャップ軸Ｏに沿って延在する一方の板状部６ａの上端に他方の板状部６ｂが直角に配設された構成からなる。このシリコンバネ６は、他方の板状部６ｂをキャップ径方向外側に向けた状態で、一方の板状部６ａが上記した天板部４１の段差部４４の下壁部４４ｃと筒部４０の壁部４０ｂとの間に嵌合されることで、キャップ本体４に装着される。そして、蓋体５が閉位置にある状態では、図５に示すように、他方の板状部６ｂが蓋体５の基端部の裏面に当接されるとともに、シリコンバネ６は弾性変形して反り曲がった形状になる。
【００３０】
［係止手段］
係止手段７は、上記したキャップ本体４に設けられた被係止部４８と、蓋体５に設けられた係止部５１と、から構成されている。
【００３１】
次に、上記した構成からなる振り出し容器用キャップ１の作用について説明する。
【００３２】
上記した振り出し容器用キャップ１では、蓋体５を回転させて閉位置に配置し、上記した係止部５１を被係止部４８に係止させることで、蓋体５が、シリコンバネ６による付勢力に抵抗して、図１に示すように閉位置で保持される。これにより、振り出し口４９が蓋体５によって閉塞される。
【００３３】
一方、蓋体５を開ける際には、図２に示すように、一対の押圧部３２，３２をキャップ径方向内側へそれぞれ押圧する。例えば、容器本体２を片手で握り、その握った手の親指と人差し指とで一対の押圧部３２，３２の押圧面３２ａ，３２ａをそれぞれ押圧する。これにより、一対の押圧部３２，３２は、弾性変形してキャップ径方向内側へ傾倒するようにそれぞれ撓み、キャップ径方向内側へそれぞれ揺動する。そして、一対の押圧部３２，３２の当接面３２ｂ，３２ｂが、蓋体５の被当接面５ａ，５ａに当接し、さらに被当接面５ａ，５ａを押圧しながら被当接面５ａ，５ａ上をそれぞれ摺動し、閉じられた状態の蓋体５が、傾斜面である当接面３２ｂ及び被当接面５ａによって摺り上げられる。その結果、係止部５１が被係止部４８から外されて係止が解除される。係止が解除されると、蓋体５は、シリコンバネ６の弾性力（付勢力）により、開位置の方向（後面側）へ回転して開けられる。
また、押圧面３２ａから指を離して押圧を解除すると、図３に示すように、押圧部３２はその弾性力により元の位置に戻される。
【００３４】
上記した構成からなる振り出し容器用キャップ１によれば、上述したように、一対の押圧部３２，３２をキャップ径方向内側へそれぞれ押圧するだけで蓋体５が開けられるため、蓋体５を開ける動作を片手で簡単に行うことができ、操作性を向上させることができる。
【００３５】
また、上記した構成からなる振り出し容器用キャップ１によれば、被係止部４８が、一対の押圧部３２，３２の当接面３２ｂ，３２ｂ間の位置に配設されているため、一対の押圧部３２，３２をキャップ径方向内側へそれぞれ押圧したとき、係止部５１が被係止部４８から簡単且つ確実に外される。これにより、振り出し容器用キャップ１の操作性をより一層向上させることができる。
【００３６】
以上、本発明に係る振り出し容器用キャップの実施の形態について説明したが、本発明は上記した実施の形態に限定されるものではなく、その趣旨を逸脱しない範囲で適宜変更可能である。
例えば、上記した実施の形態では、振り出し容器用キャップ１の上部がドーム形状になっているが、本発明はこれに限定されるものではなく、振り出し容器用キャップの上端が平面形状或いはその他の形状のものであってもよい。
【００３７】
また、上記した実施の形態では、振り出し容器用キャップ１が略円筒形状を成しているが、本発明はこれに限定されるものではなく、例えば、角筒形状の振り出し容器用キャップであってもよく、その他の形状の振り出し容器用キャップであってもよい。
【００３８】
また、上記した実施の形態では、付勢部材として略Ｌ字形状のシリコンバネ６を使用しているが、本発明は、上記シリコンバネ６以外の付勢部材を用いることも可能であり、例えば、付勢部材として、金属製或いはシリコン以外の合成樹脂製の板バネや渦巻きバネ、コイルバネ等を用いることが可能である。
【００３９】
また、上記した実施の形態では、被係止部４８が一対の押圧部３２，３２の当接面３２ｂ，３２ｂ間の位置に配設されており、係止部５１が蓋体５の裏面中央部に設けられているが、本発明はこれに限定されるものではなく、係止部及び被係止部の位置は適宜変更可能である。例えば、被係止部が一対の押圧部よりも前面側の位置に設けられ、係止部が蓋体の先端部に設けられていても良い。
【００４０】
また、上記した実施の形態では、被係止部４８のフランジ４８ａに係止部５１の鉤部５１ｂを引っ掛けることで係止される係止手段７が用いられているが、本発明はこれに限定されるものではなく、係止部及び被係止部の構成は適宜変更可能である。例えば、キャップ本体に形成された凹状の被係止部に鉤状の係止部を引っ掛ける構成の係止手段であってもよい。或いは、被係止部及び係止部のうちの一方が嵌合穴であり、他方が前記嵌合穴に嵌合される凸部である係止手段であってもよい。
【００４１】
また、上記した実施の形態では、複数の貫通穴４９ａ…からなる振り出し口４９が天板部４１の前面側の位置に形成されているが、本発明はこれに限定されるものではなく、振り出し口の位置や形状は適宜変更可能である。例えば、天板部４１の中央位置に振り出し口を形成することも可能であり、また、長穴形状の振り出し口であってもよい。
【００４２】
また、上記した実施の形態では、筒部４０と外装部４２とが屈曲部３０ａを介して一体成形されているが、本発明は、筒部と外装部とがそれぞれ別々に成形される別パーツであってもよい。例えば、筒部の上端に外装部をアンダーカット等によって嵌合させる構成であってもよい。
また、上記した実施の形態では、キャップ本体４と蓋体５とがヒンジ部５０を介して一体成形されているが、本発明は、キャップ本体と蓋体とがそれぞれ別々に成形される別パーツであってもよい。例えば、蓋体の側面に凸状の回転軸を突設させるとともに、その回転軸を支持する軸受け部をキャップ本体に形成し、回転軸を軸受け部に嵌め込むことで、別パーツのキャップ本体と蓋体とを組み立てる構成であってもよい。
このように、筒部と外装部、或いは、キャップ本体と蓋体を別パーツ化することにより、互いに異なる材質のものを簡単に形成することができる。例えば、互いに色の異なる筒部と外装部、或いは、キャップ本体と蓋体を簡単に形成することができ、二色化を簡単に実現することができる。
【００４３】
また、上記した実施の形態では、押圧部３２の当接面３２ｂ及び蓋体５の被当接面５ａがそれぞれ傾斜面になっており、これらの傾斜面（当接面３２ｂ及び被当接面５ａ）同士が互いに当接される構成になっているが、本発明は、押圧部の当接部及び蓋体の被当接部のうちの何れか一方が、キャップ軸方向の容器本体側へ向うに従いキャップ径方向内側へ向けて傾斜した傾斜面となっていればよい。例えば、押圧部の先端に上記した傾斜面からなる当接面が形成され、一方、蓋体の側面は傾斜されてなく、蓋体の側面の隅角部（被当接部）が前記当接面に当接された構成であってもよい。また、蓋体の側面に上記した傾斜面からなる被当接面が形成され、一方、押圧部の先端面が傾斜されてなく、押圧部の先端の隅角部が前記被当接面に当接した構成であってもよい。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４５】
【図１】本発明の実施の形態を説明するための振り出し容器用キャップの斜視図である。
【図２】本発明の実施の形態を説明するための振り出し容器用キャップの斜視図である。
【図３】本発明の実施の形態を説明するための振り出し容器用キャップの斜視図である。
【図４】図１に示すＡ−Ａ間の半断面図である。
【図５】図１に示すＢ−Ｂ間の断面図である。
【符号の説明】
【００４６】
１  振り出し容器用キャップ
２  容器本体
４  キャップ本体
５  蓋体
５ａ  被当接面（被当接部）
６  シリコンバネ（付勢部材）
７  係止手段
３２  押圧部
３２ｂ  当接面（当接部）
４１  天板部
４８  被係止部
４９  振り出し口
５０  ヒンジ部（回転軸）
５１  係止部
【図１】
2008265789.tif 000003
【図２】
2008265789.tif 000004
【図３】
2008265789.tif 000005
【図４】
2008265789.tif 000006
【図５】
2008265789.tif 000007